(57)【要約】  本発明は、底板（１）と、第１頂板（４）と、第２頂板（５）と、底板（１）と第１頂板（４）との間に連接されている第１側板（３ａ）と、底板（１）と第２頂板（５）との間に連接されている第２側板（３ｂ）と、第２頂板（５）に連接されており第２側板（３ｂ）の反対側に位置する第３頂板（６）と、第３頂板（６）に設けられており第３頂板（６）から突出している、中に薬剤を入れるために用いられるブリスター（８）と、底板（１）の内側表面に設けられて第３頂板（６）を支持するために用いられる支持手段（２）とを含む財布式薬剤包装ケースに関する。【選択図】  図２
2008528395.tif 000002
【特許請求の範囲】
【請求項１】
底板（１）と、
第１頂板（４）と、
第３頂板（６）と、
前記底板（１）と前記第１頂板（４）との間に連接されている第１側板（３ａ）と、
前記底板（１）と前記第３頂板（６）との間に連接されている第２側板（３ｂ）と、
前記第３頂板（６）に設けられており、中に薬剤を入れるために用いられるブリスター（８）と、
前記底板（１）の内側表面に設けられており、前記第３頂板（６）を支持するために用いられる支持手段（２）と、
を含むことを特徴とする、薬剤包装ケース。
【請求項２】
前記支持手段（２）の高さが、前記ブリスターの高さに等しいか、前記ブリスターの高さより大きい、請求項１に記載の薬剤包装ケース。
【請求項３】
前記支持手段（２）が複数ある、請求項１に記載の薬剤包装ケース。
【請求項４】
前記支持手段（２）がサポートバーであって、前記サポートバーの断面形状が、三角形、正方形、長方形、楕円形、半円形又はこれらの組み合わせを含む、請求項１〜３のいずれか一項に記載の薬剤包装ケース。
【請求項５】
前記支持手段（２）が前記底板（１）の長手方向及び／又は横方向に沿って配置されている、請求項４に記載の薬剤包装ケース。
【請求項６】
当該薬剤包装ケースを組み立てた後、前記第１頂板（４）が偶発的に開くことを防止するために用いられる、前記第１頂板（４）に設けられている連結手段（７）をさらに含む、請求項１〜３のいずれか一項に記載の薬剤包装ケース。
【請求項７】
前記連結手段（７）が粘着手段を含む、請求項６に記載の薬剤包装ケース。
【請求項８】
前記連結手段（７）が、差し込みタブ及びこれとの対に適する差し込み口である、請求項６に記載の薬剤包装ケース。
【請求項９】
底板（１）と、
第１頂板（４）と、
第２頂板（５）と、
前記底板（１）と前記第１頂板（４）との間に連接されている第１側板（３ａ）と、
前記底板（１）と前記第２頂板（５）との間に連接されている第２側板（３ｂ）と、
前記第２頂板（５）に連接されており、前記第２側板（３ｂ）と反対側に位置する第３頂板（６）と、
前記第３頂板（６）に設けられており、中に薬剤を入れるために用いられるブリスター（８）と、
前記底板（１）の内側表面上に設けられており、前記第３頂板（６）を支持するために用いられる支持手段（２）と、
を含む、薬剤包装ケース。
【請求項１０】
前記支持手段（２）の高さが、前記ブリスターの高さに等しいか、前記ブリスターの高さより大きい、請求項９に記載の薬剤包装ケース。
【請求項１１】
前記支持手段（２）が複数ある、請求項９に記載の薬剤包装ケース。
【請求項１２】
前記支持手段（２）がサポートバーであって、前記サポートバーの断面形状が、三角形、正方形、長方形、楕円形、半円形又はこれらの組み合わせを含む、請求項９〜１１のいずれか一項に記載の薬剤包装ケース。
【請求項１３】
前記支持手段（２）が前記底板（１）の長手方向及び／又は横方向に沿って配置されている、請求項１２に記載の薬剤包装ケース。
【請求項１４】
当該薬剤包装ケースが組み立てた後、前記第１頂板（４）が偶発的に開くことを防止するために用いられる、前記第１頂板（４）に設けられている連結手段（７）をさらに含む、請求項９〜１１のいずれか一項に記載の薬剤包装ケース。
【請求項１５】
前記連結手段（７）が粘着手段である、請求項１４に記載の薬剤包装ケース。
【請求項１６】
前記連結手段（７）が、差し込みタブ及びこれとの対に適する差し込み口である、請求項１４に記載の薬剤包装ケース。
【発明の詳細な説明】
【技術分野】
【０００１】
本発明は薬剤包装ケースに関し、特に財布式薬剤包装ケースに関する。
【背景技術】
【０００２】
従来の薬剤包装ケースは、粘着剤を用いて互いに重なる隣合った両側辺を粘着させて、一定の空室をなすように作られた小箱である。そして、薬剤、添付文書等を空室の中に入れてからタブを差し込む等の手段によって薬剤を封止する。患者が薬剤を服用するとき、包装ケースを開けて、中から１シートのブリスターによって包装されている薬剤を取り出し、ブリスターから所要量の薬剤を取り出してから、残りの薬剤を包装ケースの中に戻す。しかし、日常の状況において、特に、薬剤を至急に服用する必要がある場合において、急いだため、患者は薬剤を取り出した後、残りの薬剤を包装ケースの中に戻すことをしばしば忘れてしまうことがある。したがって、ブリスターの中に入っている薬剤が長い間外部環境下にさらされ、それが、薬剤に損害を与えたり、汚染したりして、薬効を失わせる原因となる。さらに、薬剤をすぐに包装ケースの中に戻さなかったため、包装ケースをなくしたり、遺失したりしやすく、よって、包装ケースの中にある添付文章をなくす結果となる。患者が再び薬剤を服用する場合、添付文章による指導が欠けるため不適切に薬剤を服用して、患者にある程度の危害を及ぼす可能性がある。一方、薬学におけるある剤型（例えば、直接圧縮製剤、凍結乾燥製剤等）は、運送中において壊れやすく、これらの薬物の運搬をより困難にしている。
【０００３】
本発明の発明者は上述の問題を解決するために、深い研究を行い、本発明を成し遂げた。
【発明の概要】
【０００４】
本発明の目的は、包装が簡単であり、紙を節約する、薬剤、箱体及び添付文章が一体を成すことができる包装ケースを提供することにある。薬剤を該包装ケースの中に入れると、薬剤が押圧を受けることを有効に防止することが可能であり、特に、破砕しやすい薬剤剤型に対して更に効果的である。
【０００５】
上記目的を実現するために、本発明は、底板と、第１頂板と、第３頂板と、底板と第１頂板との間に連接されている第１側板と、底板と第３頂板との間に連接されている第２側板と、第３頂板に設けられており中に薬剤を入れるために用いられるブリスターと、底板の内側表面に設けられており第３頂板を支持するために用いられる支持手段とを含む薬剤包装ケースを提供する。
【０００６】
開いた状態において、第３頂板上にあるブリスターは上方へ向かって突出しており、薬剤を包装するとき、第３頂板と共にブリスターの突出部を底板に向けて折り畳むと、底板上に配置されている支持手段がブリスター間の第３頂板に当たって、ブリスターが頂板と底板との間に支えられので、運搬中において、頂板又は底板が押圧を受けてブリスターの中にある薬剤を傷めることを避けることができる。
【０００７】
好ましくは、本発明の薬剤包装ケースの頂板上に、薬剤包装ケースが組み立てられた後、第１頂板と第３頂板及び／又は第２頂板とを一緒に連結して第１頂板が偶発的に開くことを防止するために用いられる、連結手段が設けられている。
【０００８】
好ましくは、上記連結手段の高さが、ブリスターの高さに等しいか、ブリスターの高さより高い。
【０００９】
本発明の薬剤包装ケースにおいて、支持手段の数は特に制限されず、第３頂板と底板との間に位置するブリスターが運搬過程中における押圧を受けないように、第３頂板と底板とを支えることができればよく、支持手段が複数あることが好ましい。
【００１０】
支持手段の形については特に制限がなく、支持手段がサポートバーであることが好ましい。サポートバーの断面形状は、三角形、正方形、長方形、楕円形、半円形又はこれらの組み合わせを含む。
【００１１】
支持手段は、配列方向が特に制限されず、横方向及び／又は長手方向に沿って配列されてもよく、斜めに配列されてもよいが、ブリスターの配列方向と同じであることが好ましい。
【００１２】
第１頂板及び第３頂板を連結するために用いられる連結手段は、差し込みタブ及びこれに対応する差し込み口から構成されてもよく、粘着手段であってもよい。好ましくは、偽造防止マークをつけた粘着手段である。
【００１３】
本発明のブリスターは、例えば、プラスチック押出し式ブリスター、両面アルミニウム押出し式ブリスター（Al/Al PTP）、簡易剥離型ブリスター（easy peeled blister）から選ばれるような、現有技術における任意タイプのブリスターであってもよい。好ましくは、簡易剥離型ブリスターである。
【００１４】
一方、本発明によると、底板と、第１頂板と、第２頂板と、底板と第１頂板との間に連接されている第１側板と、底板と第２頂板との間に連接されている第２側板と、第２頂板に連接されており第２側板の反対側に位置する第３頂板と、第３頂板に設けられており第３頂板から突出している、中に薬剤を入れるために用いられるブリスターと、底板の内側表面に設けられて第３頂板を支持するために用いられる支持手段とを含む薬剤包装ケースを提供する。
【００１５】
好ましくは、本発明の薬剤包装ケースの第１頂板上に、薬剤包装ケースが組み立てられた後、第１頂板が偶発的に開くことを防止するために用いられる、連結手段が設けられている。
【００１６】
好ましくは、上記連結手段の高さが、ブリスターの高さに等しいか、ブリスターの高さより高い。上記支持手段はサポートバーであり、サポートバーの断面形状が、三角形、正方形、長方形、楕円形、半円形又はこれらの組み合わせを含む。
【具体的な実施形態】
【００１７】
本発明の薬剤包装ケースについて、添付図面を参照しながら好ましい実施形態に関連して詳しく説明する。説明の中で、類似する要素は同じ符号で表している。
【００１８】
以下、本発明の第１実施形態による薬剤包装ケースを図１に結び付けて説明する。図１に示したように、本発明の第１実施形態による薬剤包装ケースは、互いに対向する第１側面及び第２側面を有する底板１と、互いに対向する第１側面及び第２側面を有する第１側板３ａ（第１側板３ａの第１側面は底板１の第２側面に繋がっている）と、互いに対向する第１側面及び第２側面を有し、第１側板３ａと大体同じ幅を有する第２側板３ｂ（第２側板３ｂの第２側面は底板１の第１側面に繋がっている）と、互いに対向する第１側面及び第２側面を有する第１頂板４（第１頂板４の第１側面は第１側板３ａの第２側面に繋がっている）と、互いに対向する第１側面及び第２側面を有する第３頂板６（第３頂板６の第２側面は第２側板３ｂの第１側面に繋がり、包装ケースが組み立てられた後、第１頂板４が第３頂板６を覆うことができるように、第１頂板４と大体同じ幅を有する）と、中に薬剤（図示せず）が入っているブリスター８（図６を参照）（ブリスター８は第３頂板６に設けられており、包装ケースが図１に示したような開いた状態にあるとき、ブリスター８は第３頂板６から上方に向かって突出しているので、包装ケースが組み立てられた後、ブリスター８は底板１に向かって下方へ突出し、且つ、ブリスター８の第３頂板６と連接される端部は開いており他方の端部は密封されているので、その中に薬剤を収容するために用いられる（もちろん、薬剤をその中に入れた後、ブリスターの開口端部を適当に密封してもよく、例えば、薄膜（図示せず）を用いて第３頂板６の対応する表面を覆うことによって、ブリスター８の開口端部を密封することができる））と、底板１の内部表面（すなわち、包装ケースが組み立てられた状態において、包装ケースの内部空間に向かう底板１の表面）に設けられており、且つ、高さが、第３頂板６から上方へ突出するブリスター８の高さと大体同じであるかそれより大きい、支持手段２と、第１頂板４及び第３頂板６を連結させるために用いられる連接手段７とを備える。ここで留意しなければならないことは、底板１、第１頂板４、第１側板３ａ、第２側板３ｂ及び第３頂板６がそれぞれ独立して形成され、その後、これらを上述のように繋げてもよいということである。好ましくは、底板１、第１頂板４、第１側板３ａ、第２側板３ｂ及び第３頂板６が一枚の紙板で一体的に形成され、隣接する板は、それらの間に形成されている折り目によって仕切られ連接される。さらに、支持手段２は底板１のみならず、第３頂板６に設けられてもよく、この際、ブリスター８と同じ側に配置される。好ましくは、薬剤包装ケースはさらに連結手段７を備え、連結手段７は、包装ケースが組み立てられた後、第１頂板４が偶発的に開くことを防止するために用いられ、よって、包装ケースが偶発的に開くことを防ぐ。連結手段７は、粘着手段であってもよく、差し込みタブ及び差し込みタブの対に適する差し込み口を含んでもよい。差し込みタブは第１頂板４に設けられ、差し込み口は、第３頂板６、第２側板３ｂ、又は第３頂板６と第２側板３ｂとの連結部に設けられる。その他、粘着手段の配置も特に制限されず、例えば、第１頂板４（図１）、第２側板３ｂ又は底板１の外部表面に設けることができる。
【００１９】
次に、本発明の第１実施形態による薬剤包装ケースを組み立てるプロセスについて説明する。まず、薬剤をブリスター８の中に入れ、折り目に沿ってブリスター８が設けられている第３頂板６を底板１に向かって折り畳む。この際、第３頂板６が底板１に向かって折り畳まれているので、ブリスター８が底板１に向かって突出している。その後、第１頂板４を折り目に沿って底板１に向かって折り畳み、よって、第１頂板４と第３頂板６が共に重なり合う。続いて、連結手段７を用いて第１頂板４と第３頂板６及び／又は第２側板３ｂを連結して、内部空間を有する小箱を形成することによって、ブリスターの中にある薬剤を包装する。支持手段２が小箱の内部空間の中にあり、互いに重なる第１頂板４及び第３頂板６と底板１との間に配置されて支えるために用いられ、よって、例えば運搬中において第１頂板４及び第３頂板６と底板１とが向かい合って押圧された場合、ブリスターが凹んで中の薬剤が潰れることを防ぐ。ここで、留意しなければならないことは、支持手段２の位置が、包装ケースが組み立てられた後ブリスター８と互いに干渉しない所にあるべきである（図６に示したように）ということである。
【００２０】
薬剤を取り出すとき、包装ケースを開ける順番は上述の組み立てるときの順番とは逆である。まず連結手段７を開けてから、折り目に沿って第３頂板６と第１頂板をそれぞれ開けると、薬剤が入っているブリスターが露出される。薬剤は、ブリスターの性質に基づいて異なる方法でブリスターから取り出すことができる。
【００２１】
上述のように、本発明による薬剤包装ケースの構造、組み立て方法及び開ける方法が財布と似ているため、本発明の薬剤包装ケースは、「財布式」薬剤包装ケースと称され得る。
【００２２】
図１に示した実施形態において、支持手段２は断面が三角形であるサポートバーであり、且つ、底板１の長手方向沿って配置されている。しかし、支持手段は図１に示した断面が三角形であるサポートバー手段に限られず、円形、半円形、正方形、長方形、楕円形又はこれらの組み合わせ等であってもよいが、断面が三角形である支持手段であることが好ましい。
【００２３】
支持手段の数については特に制限されず、支持の必要性に応じて、例えば、二つ又は三つの複数の支持手段を設けることができる。第３頂板６設けられているブリスター８は、例えば、プラスチック押出し式ブリスター、両面アルミニウム押出し式ブリスター（Al/Al PTP）、簡易剥離型ブリスター（easy peeled blister）から選ばれる、従来技術における任意タイプのブリスターであってもよく、簡易剥離型ブリスターであることが好ましい。
【００２４】
ブリスター８の数は、薬剤の特性及び市場の需要に応じて適当に調整することができる。本発明の好ましい実施形態の一つとして、図１では、１０個のブリスターを示しており、１０個のブリスター８は、１行に５個ずつ２行に分けられている。
【００２５】
第１頂板４及び第３頂板６を連結させるために用いられる連結手段７は、特に制限されず、第１頂板４及び第３頂板６を一緒に連結させることができるだけでよく、その連結手段は、第１頂板４及び側板３ｂにそれぞれ設けられている対を成すために互いに適する差し込みタブ及び差し込み口を備えるか、第１頂板４に設けられている粘着手段を備える。連結手段は粘着手段であることが好ましい。
【００２６】
次に、図２を参照しながら本発明の第２実施形態を説明する。図２に示したように、本発明の第２実施形態の薬剤包装ケースは、第２頂板５が第２側板３ｂと第３頂板６との間に連接されており、且つ、第３頂板６に設けられているブリスター８が図２において下方へ突出している以外には、図１に示した第１実施形態と同じである。上述のように、第２側板３ｂと第３頂板６との間に連接されている第２頂板５、第１頂板4、第１側板３ａ及び底板１は、一枚の紙板を用いて一体的に形成されてもよく、互いに隣接した板は、これらの間に形成されている折り目によって仕切られており連接されている。
【００２７】
本発明による「財布式」薬剤包装ケースは、支持手段が設けられているため、薬剤を中に入れてから組み立てられたとき、支持手段が底板と第３頂板との間で支えることができ、よって、ブリスターが押圧されて変形することを防止し、さらに、ブリスターの中にある薬剤が押圧されて破砕することを避ける。
【００２８】
次に、図２及び図６を参照しながら第２実施形態の薬剤包装ケースを組み立てるプロセスについて説明する。図２に示した薬剤包装ケースを組み立てるとき、まず第３頂板６を第２頂板５と重なるように、折り目に沿って第２頂板５に向けて折り畳み、その後、さらに第３頂板及び第２頂板５を第２側板３ｂと第２頂板５との間にある折り目に沿って底板１に向けて折り畳む。このように、第３頂板６が２回の折畳みを経て、その上に設けられているブリスター５が底板１に向かって下方へ突出している。続いて、第１頂板４を折り目に沿って底板１に向けて折り畳み、それにより、第１頂板４と第２頂板５及び第３頂板６と重なる。続いて、連結手段７を用いて第１頂板４と第２頂板５とを連結する。第１側板３ａと、第２側板３ｂと、底板１に設けられている支持手段２とは、第１頂板４、第２頂板５及び第３頂板６を支えるために用いられ、重り合っている三つの頂板と底板１とが一定の距離をおいて離れるようにする。この距離は、ブリスター８の高さに等しいか、ブリスターの高さより大きく、このようにして、薬剤が入っているブリスターと底板１とが接触することを避け、よって、ブリスターが押圧を受けて変形することによってブリスターの中に密封されている薬剤が潰れることを防止する。
【００２９】
図３に示しているのは、本発明の第３実施形態による薬剤包装ケースが開けられた状態での立体略図である。図３に示したように、支持手段２以外は、図２に示した第２実施形態と同様である。図３に示した第３実施形態の中で、支持手段２は、三つの、間に間隔をおいた、底板１の長手方向に沿って並んで配置された、且つ、断面が三角形である、サポートバーである。
【００３０】
図４に示しているのは、本発明の第４実施形態による薬剤包装ケースが開けられた状態での立体略図である。図４に示したように、支持手段２及びブリスター８の数以外は、図２に示した第２実施形態及び図３に示した第３実施形態と同様である。図４に示した第４実施形態の中で、支持手段２は、二つの、底板１の長手方向に沿って平行して配置された、断面が三角形である、サポートバーである。ブリスター８の数は２０個であり、２０個のブリスター８は、一行に５個ずつ４行に分けられている。ここで、４種類の実施形態におけるブリスターの数及び行数は、特に制限されず、市場及び包装の需要に応じて随時調整することができることは明らかである。図に示しているブリスターの数及び行数は、具体的な代表例にすぎず、実際の数はこれらに限定されない。
【００３１】
図５に示しているのは、本発明の第５実施形態による薬剤包装ケースが開けられた状態での立体略図である。図５に示したように、支持手段２以外は、図２に示した第２実施形態及び図３に示した第３実施形態と同様である。図５に示した第５実施形態の中で、支持手段２は一本のサポートバーであって、そのサポートバーは、底板１の横方向に沿って配置されており、すなわち、第１〜第４実施形態におけるサポートバーの配置方向に垂直となっている。もちろん、第５実施形態におけるサポートバー２の数も、特に制限されず、例えば、２本又は３本等であってもよい。
【００３２】
図６は、本発明の実施形態による薬剤包装ケースが組み立てられた状態での図であり、図２に示した第１実施形態の薬剤包装ケースが薬剤を包装した後の側面図である。図６に示したように、第１頂板４と第３頂板６又は第１頂板４と第３頂板６と第２頂板５（第２〜第５実施形態）を支えるために用いられる支持手段２の高さは、ブリスターの高さに大体等しいか、ブリスターの高さより僅かに大きく、且つ、組み立てられた後、支持手段２がブリスターと互いに干渉しないように位置付けられている。
【００３３】
この図から分かるように、薬剤を包装ケースの中に入れた後、支持手段２が第１頂板４、第２頂板５及び第３頂板６を支えることができるので、例えば運搬中において、頂板及び底板が押圧を受けて、ブリスターを変形させ、よって、ブリスターの中に入っている薬剤が破砕されることを避けることができた。
【００３４】
以上、添付図面を参照しながら本発明について詳細に説明したが、これらは本発明の一例にすぎない。この技術分野の普通の技術者にとって、本発明の精神及び範囲から逸脱することなく、上述の実施形態に様々な修正を加えることが可能であり、全てのこれらの修正は、本発明の請求項が限定する保護範囲内に入る。
【図面の簡単な説明】
【００３５】
【図１】本発明の第１実施形態の薬剤包装ケースが開かれた状態における立体略図である。
【図２】本発明の第２実施形態の薬剤包装ケースが開かれた状態における立体略図である。
【図３】本発明の第３実施形態の薬剤包装ケースが開かれた状態における立体略図である。
【図４】本発明の第４実施形態の薬剤包装ケースが開かれた状態における立体略図である。
【図５】本発明の第５実施形態の薬剤包装ケースが開かれた状態における立体略図である。
【図６】図２に示した薬剤包装ケースが、薬剤を包装した後組み立てられた状態における斜視図である。
【図１】
2008528395.tif 000003
【図２】
2008528395.tif 000004
【図３】
2008528395.tif 000005
【図４】
2008528395.tif 000006
【図５】
2008528395.tif 000007
【図６】
2008528395.tif 000008
【手続補正書】
【提出日】平成19年10月11日(2007.10.11)
【手続補正１】
【補正対象書類名】特許請求の範囲
【補正対象項目名】全文
【補正方法】変更
【補正の内容】
【特許請求の範囲】
【請求項１】
底板（１）と、
第１頂板（４）と、
第３頂板（６）と、
前記底板（１）と前記第１頂板（４）との間に連接されている第１側板（３ａ）と、
前記底板（１）と前記第３頂板（６）との間に連接されている第２側板（３ｂ）と、
前記第３頂板（６）に設けられており、中に薬剤を入れるために用いられるブリスター（８）と、
前記底板（１）の内側表面に設けられており、前記第３頂板（６）を支持するために用いられる支持手段（２）と、
を含むことを特徴とする、薬剤包装ケース。
【請求項２】
前記支持手段（２）の高さが、前記ブリスターの高さに等しいか、前記ブリスターの高さより大きい、請求項１に記載の薬剤包装ケース。
【請求項３】
前記支持手段（２）が複数ある、請求項１に記載の薬剤包装ケース。
【請求項４】
前記支持手段（２）がサポートバーであって、前記サポートバーの断面形状が、三角形、正方形、長方形、楕円形、半円形又はこれらの組み合わせを含む、請求項１〜３のいずれか一項に記載の薬剤包装ケース。
【請求項５】
前記支持手段（２）が前記底板（１）の長手方向及び／又は横方向に沿って配置されている、請求項４に記載の薬剤包装ケース。
【請求項６】
当該薬剤包装ケースを組み立てた後、前記第１頂板（４）が偶発的に開くことを防止するために用いられる、前記第１頂板（４）に設けられている連結手段（７）をさらに含む、請求項１〜３のいずれか一項に記載の薬剤包装ケース。
【請求項７】
前記連結手段（７）が粘着手段を含む、請求項６に記載の薬剤包装ケース。
【請求項８】
当該薬剤包装ケースを組み立てた後、前記第１頂板（４）が偶発的に開くことを防止するために用いられる連結手段（７）をさらに含んでおり、
前記連結手段（７）が、差し込みタブ及びこれとの対に適する差し込み口を含み、前記差し込みタブ及び前記差し込み口の一方が前記第１頂板（４）に配置されており、前記差し込みタブ及び前記差し込み口の他方が前記第３頂板（６）、前記第２側板（３ｂ）、又は前記第３頂板（６）と前記第２側板（３ｂ）との間にある連結部に配置されている、
請求項１〜３のいずれか一項に記載の薬剤包装ケース。
【請求項９】
底板（１）と、
第１頂板（４）と、
第２頂板（５）と、
前記底板（１）と前記第１頂板（４）との間に連接されている第１側板（３ａ）と、
前記底板（１）と前記第２頂板（５）との間に連接されている第２側板（３ｂ）と、
前記第２頂板（５）に連接されており、前記第２側板（３ｂ）と反対側に位置する第３頂板（６）と、
前記第３頂板（６）に設けられており、中に薬剤を入れるために用いられるブリスター（８）と、
前記底板（１）の内側表面上に設けられており、前記第３頂板（６）を支持するために用いられる支持手段（２）と、
を含む、薬剤包装ケース。
【請求項１０】
前記支持手段（２）の高さが、前記ブリスターの高さに等しいか、前記ブリスターの高さより大きい、請求項９に記載の薬剤包装ケース。
【請求項１１】
前記支持手段（２）が複数ある、請求項９に記載の薬剤包装ケース。
【請求項１２】
前記支持手段（２）がサポートバーであって、前記サポートバーの断面形状が、三角形、正方形、長方形、楕円形、半円形又はこれらの組み合わせを含む、請求項９〜１１のいずれか一項に記載の薬剤包装ケース。
【請求項１３】
前記支持手段（２）が前記底板（１）の長手方向及び／又は横方向に沿って配置されている、請求項１２に記載の薬剤包装ケース。
【請求項１４】
当該薬剤包装ケースが組み立てた後、前記第１頂板（４）が偶発的に開くことを防止するために用いられる、前記第１頂板（４）に設けられている連結手段（７）をさらに含む、請求項９〜１１のいずれか一項に記載の薬剤包装ケース。
【請求項１５】
前記連結手段（７）が粘着手段である、請求項１４に記載の薬剤包装ケース。
【請求項１６】
当該薬剤包装ケースを組み立てた後、前記第１頂板（４）が偶発的に開くことを防止するために用いられる連結手段（７）をさらに含んでおり、
前記連結手段（７）が、差し込みタブ及びこれとの対に適する差し込み口を含み、前記差し込みタブ及び前記差し込み口の一方が前記第１頂板（４）に配置されており、前記差し込みタブ及び前記差し込み口の他方が前記第３頂板（６）、前記第２側板（３ｂ）、又は前記第３頂板（６）と前記第２側板（３ｂ）との間にある連結部に配置されている、
請求項９〜１１のいずれか一項に記載の薬剤包装ケース。
【国際調査報告】
2008528395.tif 000009
2008528395.tif 000010
2008528395.tif 000011
2008528395.tif 000012